(57)【要約】【課題】プレボーリング工法を利用し、杭の先端支持力の低下を招く掘削土の混入を防ぎながら効率的かつ安全に施工できる拡頭杭の施工方法を提供する。【解決手段】外周にらせん翼２ａを有するケーシング２とケーシング２を貫通する掘削ロッド３を回転させながらに地中に挿入して杭施工用孔４を削孔する。次に、ケーシング２を回転させながら引き抜いて杭施工用孔４の上部を切削することにより杭施工用孔４の上部に拡径部４ａを形成する。次に、ケーシング２をガイドにして杭施工用孔４に既製杭を立て込んで拡頭杭１の本体部分１ｂを形成する。次に、ケーシング２を撤去し、その後の拡径部４ａに拡頭杭１の拡頭部分１ａを形成する。【選択図】図１
2008045327.tif 000002
【特許請求の範囲】
【請求項１】
プレボーリング工法による拡頭杭の施工方法であって、外周上部に掘削手段を有するケーシングと当該ケーシングを貫通する掘削ロッドを回転させながら地中に挿入して杭施工用孔を削孔する工程と、前記ケーシングの掘削手段により前記杭施工用孔の上部を切削することにより前記杭施工用孔の上部に拡径部を形成する工程と、前記ケーシングをガイドにして前記杭施工用孔に既製杭を立て込んで前記拡頭杭の本体部分を形成する工程と、前記ケーシングを撤去する工程と、前記拡径部に前記拡頭杭の拡頭部分を形成する工程とを有することを特徴とする拡頭杭の施工方法。
【請求項２】
掘削手段はらせん翼であることを特徴とする請求項１記載の拡頭杭の施工方法。
【請求項３】
拡頭部分は既製杭で形成することを特徴とする請求項１または２記載の拡頭杭の施工方法。          
【発明の詳細な説明】
【技術分野】
【０００１】
本発明は、プレボーリング工法による既製杭からなる拡頭杭の施工方法に関するものである。
【背景技術】
【０００２】
杭頭部に作用する過大なせん断力と曲げモーメントに備えて杭頭部に杭の本体部分より径の大きい拡頭部を有する拡頭杭が知られている。この種の拡頭杭は主にＲＣ杭やＰＣ杭、ＳＣ杭などの既製杭、鋼管杭などから形成され、またプレボーリング工法によって施工されることが多い。
【０００３】
プレボーリング工法は、あらかじめアースオーガー等を用いて地中に杭施工用孔をあけ、この杭施工用孔内に既製杭を立て込んで杭を施工する方法で、騒音の心配がないため広く採用されている。
【０００４】
従来、既製杭からなる拡頭杭をプレボーリング工法で施工する場合、アースオーガー等を用いて杭を施工するための杭施工用孔を削孔する前か後に、当該杭施工用孔の上部に杭施工用孔より大きい内径の拡径部を形成し、次にこの杭施工用孔に既製杭を立て込んで杭の本体部分を形成し、続いて拡径部に拡頭部を形成する。
【０００５】
またその際、杭の支持力は一般に、杭の先端支持力と杭の周面摩擦力の合計によって評価され、ほとんどが杭の先端支持力に依存する杭として施工されるため、施工時の杭の先端処理が重要になる。
【０００６】
【特許文献１】特開昭６２−２５３８１７号公報
【特許文献２】特開２００６−１３２１００号公報
【特許文献３】特開２００６−１１８２１５号公報
【発明の開示】
【発明が解決しようとする課題】
【０００７】
しかし、杭施工用孔を削孔する前に当該杭施工用孔の上部に大きな孔を掘って拡径部を形成する方法は、拡径部がその後の作業を行う上で障害となることがあり、安全性に問題があった。
【０００８】
一方、杭施工用孔を削孔した後に当該杭施工用孔の上部に孔壁を切削して拡径部を形成する方法は、掘削土が杭施工用孔に落ち、これが杭の支持力を低下させる恐れがある。
【０００９】
また、杭施工用孔と同様に拡径部もアースオーガーで削孔しようとすると、径の大きい掘削ロッドを使用する必要があるため、段取りによっては別に孔を削孔することになるため、非効率な施工を強いられる恐れがあった。
【００１０】
さらに、いずれの方法も、杭施工用孔の上部に拡径部を有することにより、杭施工用孔に既製杭を立て込む際にふらついて杭の立て込み精度が落ちる等の課題があった。
【００１１】
本発明は、以上の課題を解決するためになされたもので、プレボーリング工法を利用し、杭の支持力の低下を招く掘削土の混入を防ぎながら効率的かつ安全に施工できる拡頭杭の施工方法を提供することを目的とするものである。
【課題を解決するための手段】
【００１２】
請求項１記載の発明は、プレボーリング工法による拡頭杭の施工方法であって、外周上部に掘削手段を有するケーシングと当該ケーシングを貫通する掘削ロッドを回転させながら地中に挿入して杭施工用孔を削孔する工程と、前記ケーシングの掘削手段により前記杭施工用孔の上部を切削することにより前記杭施工用孔の上部に拡径部を形成する工程と、前記ケーシングをガイドにして前記杭施工用孔に既製杭を立て込んで前記拡頭杭の本体部分を形成する工程と、前記ケーシングを撤去する工程と、前記拡径部に前記拡頭杭の拡頭部分を形成する工程とを有することを特徴とするものである。
【００１３】
本発明は、既成杭からなる拡頭杭をプレボーリング工法によって施工する際、特に孔壁を保護するケーシングの外周の上部に掘削手段を設け、杭施工用孔を削孔した後、当該ケーシングを掘削方向に回転させなから引き抜くことにより杭施工用孔の上部に拡径部を容易に形成できるようにしたものである。
【００１４】
また、拡径部の施工中および杭施工用孔に既製杭を立て込む際、杭施工用孔の上部をケーシングによって保護し、掘削土が杭施工用孔に落ちないようにすることで、掘削土の落下が原因とされる杭の支持力の低下を防止するようにしたものである。
【００１５】
さらに、杭施工用孔の上端部にケーシングを鉛直に立て付け、当該ケーシングを杭施工用孔に既製杭を立て込む際のガイド部材として利用することにより既製杭の鉛直性を保持して施工性と施工精度を高めるようにしたものである。
【００１６】
なお、杭施工用孔の削孔には、掘削時の孔壁を保護するため泥水工法を併用することが望ましい。また、拡頭部は場所打ちコンクリートまたは既製杭のいずれでも形成することができる。さらに、杭本体部分の先端に拡径部を設けて杭の先端支持力を高めることもできる。
【００１７】
請求項２記載の拡頭杭の施工方法は、請求項１記載の拡頭杭の施工方法において、掘削手段はらせん翼であることを特徴とするものである。杭施工用孔の上部を切削して拡径部を形成するための掘削手段は、特に限定されるものではないが、特にらせん翼は杭施工用の孔壁を効率的に切削して拡径することができる。
【００１８】
請求項３記載の拡頭杭の施工方法は、請求項１または２記載の拡頭杭の施工方法において、拡頭部分は既製杭によって形成することを特徴とするものである。拡頭部分は場所打ちコンクリートまたは既製杭のいずれでも形成することができるが、特に既製杭による施工は現場施工の省力化が図れる。
【発明の効果】
【００１９】
本発明は、杭施工用孔の上部を切削して拡径部を形成する際および杭施工用孔に既製杭を立て込む際、杭施工用孔の上端部にケーシングを設置して掘削土が杭施工用孔に落ちないようにすることで、掘削孔に掘削土が落ちこれがもとで杭の先端支持力が低下するようなことはない。
【００２０】
また、杭施工用孔に既製杭を立て込む際、杭施工用孔の上端部にケーシングを設置し、このケーシングを杭施工用孔に既製杭を鉛直に立て込むためのガイド部材として利用することにより、既製杭のふらつき等を防止して既製杭の鉛直性が保てるため、既製杭を杭施工用孔に効率的にかつ精度良く立て込むことができる。
【発明を実施するための最良の形態】
【００２１】
図１は拡頭杭の一例を示し、拡頭杭の本体部分１ｂと当該本体部分１ｂより大きい径の拡頭部分１ａの全長がＲＣ杭やＰＣ杭、ＳＣ杭などの既製杭、鋼管杭などから一体に形成されている。
【００２２】
杭の本体部分１ｂは、一定長さに形成された既製杭を必要数継ぎ足し、互いに接合することにより一体に形成され、当該本体部分１ｂの上端部に拡頭部分１ａが一体に形成されている。
【００２３】
図２（ａ）〜（ｇ）は、プレボーリング工法による拡頭杭の施工方法を示し、以下施工手順について説明する。
【００２４】
最初に、ケーシング２と当該ケーシング２を貫通する掘削ロッド３を回転させながら地中に鉛直に押し込んで杭施工用孔４を削孔する。ここで用いられるケーシング２は鋼管から形成され、外周に鋼管の上端部から中間部にわたって連続するらせん翼２ａを備えている。掘削ロッド３は杭施工用孔４の深さに応じてロッドを順次継ぎ足して延長できるように構成されている。また、杭施工用孔４の削孔には泥水工法を併用して孔壁を保護する。
【００２５】
こうして、所定の深さまで杭施工用孔４を削孔したら、地中にケーシング２を残し、掘削ロッド３を回転させながら引き上げて撤去する。また、杭施工用孔４内に杭周固定液（図省略）を注入する。なお、杭周固定液は杭施工用孔４内に形成された拡頭杭１の本体部分１ｂを一体的に固定するための固化液である。
【００２６】
次に、ケーシング２を回転させながら引き抜いて、杭施工用孔４の上部に杭施工用孔４の径より大きい径の拡径部４ａを形成する。
【００２７】
この場合、ケーシング２を推進方向に回転させながら引き抜くことにより、杭施工用孔４の上部の孔壁がケーシング２のらせん翼２ａによって切削され、掘削土がらせん翼２ａによって地上に排出されることで、杭施工用孔４の上部に拡径部４ａが形成される。
【００２８】
ケーシング２は、らせん翼２ａを有するケーシング２の中間部より上の部分のみを地中から引き抜き、中間部より下の部分を杭施工用孔４の上端部に挿入した状態で地上に鉛直に立て付ける。こうすることで、掘削土が杭施工用孔４内に落ち込むのを防止することができる。
【００２９】
次に、杭施工用孔４内に杭の本体部分１ｂとなる既製杭を立て込む。この場合、既製杭はケーシング２に通して杭施工用孔４内に立て込むことにより既製杭の鉛直性を保持する。また、杭の本体部分１ｂの長さに応じて一定長さに形成された既製杭を順次継ぎ足し、互いに接続しながら杭施工用孔４内に立て込んで本体部分１ｂの全長を形成する。そして、本体部分１ｂの施工が完了したらケーシング２を撤去する。
【００３０】
次に、拡径部４ａ内に拡頭部分１ａとなる既製杭を立て込み、本体部分１ｂと一体的に接合することにより拡頭杭１の全長を形成する。
【産業上の利用可能性】
【００３１】
本発明は、プレボーリング工法を利用し、杭の先端支持力の低下を招く掘削土の混入を防ぎながら効率的かつ安全に拡頭杭を施工することができる。
【図面の簡単な説明】
【００３２】
【図１】拡頭杭の一例を示す正面図である。
【図２】（ａ）〜（ｇ）はプレボーリング工法による拡頭杭の施工手順を示す工程図である。
【図３】（ａ）は本工法で用いられるケーシングの正面図、（ｂ）はケーシングの使用状態を示す縦断面図である。
【符号の説明】
【００３３】
１  拡頭杭
１ａ  拡頭杭の拡頭部分
１ｂ  拡頭杭の本体部分
２  ケーシング
２ａ  らせん翼（掘削手段）
３  掘削ロッド
４  杭施工用孔
４ａ  拡径部
【図１】
2008045327.tif 000003
【図２】
2008045327.tif 000004
【図３】
2008045327.tif 000005